(57)【特許請求の範囲】
【請求項１】
多数の開孔を有する既存の防音パネルの前面板に、多数の開孔を有するカバー材が重ね合わされると共に、該カバー材が、カバー材と前面板の両開孔縁部を弾性挟持するクリップ部材によって前面板に止着され、もってこのカバー材の外側の面が防音パネルの新たな外面となされたことを特徴とする防音パネルのリフレッシュ方法。
【請求項２】
カバー材の外側の面に、防汚性塗料による防汚層が形成されていることを特徴とする請求項１に記載の防音パネルのリフレッシュ方法。
【請求項３】
カバー材の外側の面に、光触媒含有層が形成されていることを特徴とする請求項１に記載の防音パネルのリフレッシュ方法。
【請求項４】
カバー材の外側の面に、難貼着性層が形成されていることを特徴とする請求項１に記載の防音パネルのリフレッシュ方法。
【請求項５】
カバー材の外側の面に、反射体が設けられていることを特徴とする請求項１に記載の防音パネルのリフレッシュ方法。
【請求項６】
カバー材の外側の面に、蓄光塗料による蓄光層が形成されていることを特徴とする請求項１に記載の防音パネルのリフレッシュ方法。
【発明の詳細な説明】
【０００１】
【発明の属する技術分野】
本発明は、防音パネルのリフレッシュ方法に関するものである。
【０００２】
【従来の技術】
従来、道路等の側縁に立設されて車両等の騒音を低減させるための防音壁として、また高架橋や橋梁の桁裏面に取付けられて桁裏面の騒音を低減させるための桁裏面吸音板等として、さらにその他の防音設備として、多数の開孔を有する前面板とその背後に設けられた背面板とにより形成された中空内に吸音材が内装され、前面板の開孔より中空内に入射した騒音が吸音材により吸音されるようになされた吸音パネルが用いられている。
【０００３】
【発明が解決しようとする課題】
かかる防音パネルは、施工されて長期間風雨や車両の排気ガス等にさらされると、汚れや破損等によって見苦しいものとなる。従来、このような場合には、既設の防音パネルを新しいものに取り替えたり、既設の防音パネルの外面を塗装したり、外面を洗浄液で洗浄する等してリフリッシュを図っている。
【０００４】
しかしながら、新しいものに取り替えるのは、既設のものの取り外しと新設作業とが必要であることから、非常に手間であり、長期の交通規制が必要になると共に、新設以上にコスト高になり、又既設のものの廃棄物処理等の問題もある。又塗装による場合は、現場施工であるために塗膜品質が安定しにくく、一定の品質に管理するのが困難であり、又塗料が周囲に飛散することから、環境上の問題もある。さらに洗浄による場合は、洗浄液を含む汚水が発生し、その汚水処理が問題となる。
【０００５】
そこで本発明は、上記の如き問題点を解決し、容易且つコスト安であり、さらに短期間でリフレッシュすることができ、廃棄物処理の問題がない防音パネルのリフレッシュ方法を提供せんとするものである。
【０００６】
【課題を解決するための手段】
上記目的を達成するために、本発明は次のような構成としている。
すなわち本発明に係る防音パネルのリフレッシュ方法は、多数の開孔を有する既存の防音パネルの前面板に、多数の開孔を有するカバー材が重ね合わされると共に、該カバー材が、カバー材と前面板の両開孔縁部を弾性挟持するクリップ部材によって前面板に止着され、もってこのカバー材の外側の面が防音パネルの新たな外面となされたことを特徴とするものである。
【０００７】
本発明によるリフレッシュ方法は、既存の防音パネルの前面板にカバー材を取付け、このカバー材の外側の面を防音パネルの新たな外面とするので、従来の新しいものに取り替える場合に較べて、非常に容易であり、又カバー材のコストしか発生しないので安価であり、廃棄物処理の問題もなく、且つ短期間に完了するので、長期の交通規制の必要がなく、又塗装する場合に較べて、一定の品質でリフレッシュすることができ、さらに洗浄する場合に発生する汚水処理の問題がない。
【０００８】
又前記カバー材は、多数の開孔を有するので、騒音はカバー材により遮られることがなく、カバー材の開孔を通って、前面板の開孔に至るので、本来有している防音パネルの防音性能を低下させることはない。
【０００９】
さらにカバー材は、カバー材と前面板の両開孔縁部を弾性挟持するクリップ部材によって前面板に止着され、カバー材と前面板とに設けられた両開孔を利用してカバー材を止着することから、カバー材を取付けるための加工を前面板に施す必要がないので、取付けが極めて容易であり、又クリップ部材によって確実に取付けることができる。すなわちカバー材をリベット止めや接着剤、粘着材によって取付けることも考えられるが、リベット止めする場合は、前面板にわざわざ取付孔を開けてリベット止めすることから、取付けに手間がかかり、又カバー材を接着剤や粘着材で貼着する場合は、振動や風圧によって離脱するおそれがあるが、本発明においてはクリップ部材によってカバー材と前面板の両開孔縁部を弾性挟持するので、そのような問題はない。もちろん上記のリベット止めや接着剤、粘着材による取付けがクリップ部材と併用されていてもよい。
【００１０】
前記カバー材の材質は、特に限定されるものではなく、鉄鋼、アルミニウム合金、ステンレス等の金属や樹脂ラミネート金属、セラミック等の無機材、合成樹脂等が適宜使用される。又カバー材の形状も限定はないが、薄い板状のものが好ましく、さらに多数の開孔を有していれば、パンチング孔の開いた板材や網目パネル状であってもよい。
【００１１】
カバー材は、単にリフレッシュのみを意図するのであれば、既存の防音パネルの外面を構成する前面板とそっくり同じ形態のものであってもよいが、既存の外面と異なる機能をもった形態にすることもでき、さらに既存の外面の機能に加えてこのカバー材に他の機能を付加することができる。
【００１２】
例えば、カバー材の表面の汚れを防止するために、カバー材の外側の面に、例えばシリコーン系やフッ素系等の防汚性塗料を塗布し、防汚層を形成してもよい。
【００１３】
又、大気中の窒素酸化物等を除去するために、カバー材の外側の面に、二酸化チタン等の光触媒を含有する光触媒含有層を形成してもよい。二酸化チタン等の光触媒は、紫外線によって活性化され、その活性化によって発現された強い酸化力により、空気中の窒素酸化物等は硝酸等に酸化されて除去される。又活性化された光触媒によりカバー材の表面を親水化させることにより、表面に付着した汚れが雨水等により洗い流れるようにすることもできる。又光触媒含有層を形成することによって親水性を付与してもよい。
【００１４】
又、不必要な貼り紙を防止するために、カバー材の外側の面に、シリコーン塗料等を塗布して難貼着性層を形成し、貼り紙を貼り付けにくいようにしてもよい。
【００１５】
又、カバー材の外側の面に、車両のヘッドライトの光を再帰反射するような反射体を設け、車両に対して視線誘導を行うようにしてもよい。
【００１６】
又、カバー材の外側の面に、蓄光塗料による蓄光層を形成し、夜間の視認性を高めるようにしてもよい。
【００１７】
以上の他、カバー材の外側の面に発光ダイオード、エレクトロルミネッセンス等の自発光体を設けてもよく、カバー材に吸音材を設けてもよく、カバー材が吸音材から形成されていてもよく、特に付加する機能については限定されるものではない。上記付加機能は、既存の防音パネルに直接設けることは非常に手間であるが、カバー材に設けることは極めて容易である。
【００１８】
又本発明は、道路に既に施工されて汚れや破損等した防音パネルに対するリフリッシュ方法として一般には適応されるが、既存の防音パネルに他の機能を具備させるため等に、道路に施工する前の新規な防音パネルに適用されてもよい。
【００１９】
【発明の実施の形態】
以下に本発明の実施の一形態につき図面に基づき具体的に説明する。
図１は本発明による実施の一形態であって、防音パネルの前面をリフレッシュする状態を示す説明図であり、図２は本発明に用いられるクリップ部材の実施の一形態を示す正面図、図３は図２のクリップ部材によってカバー材を防音パネルに取付ける状態を示す断面図、図４は本発明に用いられるクリップ部材の実施の他の形態を示す斜視図、図５は図４のクリップ部材によってカバー材を防音パネルに取付ける状態を示す断面図である。
【００２０】
図１において、１は防音壁として設置された既存の防音パネルであり、間隔をおいて立設された支柱２間に取付けられている。前記防音パネル１は、多数の開孔１１を有する前面板１２と、その背後に設けた背面板（図示せず）とにより形成された中空内に吸音材（図示せず）が内装された通常のものであり、前面板１２の開孔１１より中空内に入射した騒音が吸音材により吸音されると共に、外部に漏れないように背面板により遮音されるようになされているものである。
【００２１】
３は、カバー材であって、前記既存の防音パネル１をリフレッシュするものであり、前面板１２の外面に取付けられ、そのカバー材３により防音パネル１の前面板１２側がリフレッシュされている。すなわち取付けられたカバー材３の外側の面は、既存の防音パネル１の前面板１２の外面に代わり、新たな外面を構成するものである。
【００２２】
このカバー材３は、防音パネルの本来有している防音性能を低下させないように、多数の開孔３１を有するものであって、騒音はこの開孔３１を通って、前面板１２の開孔１１より防音パネル１内に入射されて吸音されるようになされている。前記カバー材３は、既存の外面を構成する前面板１２とそっくり同じ形態のもの、すなわち前面板１２の開孔１１に一致する位置に、その開孔１１と同一形状の開孔３１が連通するように設けら、且つ前面板１２と同一形状となされたものであってもよいし、縦線材と横線材とを格子状に接合した網目パネル状としたものであってもよいし、外側の面を凹凸状とし、その外側の面に光触媒含有層を形成し、紫外線によって活性化させた光触媒で、空気中の窒素酸化物等を硝酸等に酸化して除去させるようにしたものでもよい。この光触媒含有層を形成したカバー材３は、外側の面を凹凸状とすることにより、空気中の窒素酸化物等に触れる面積が大きくなる。又光触媒含有層によってカバー材３の外側の面を親水化し、付着する汚れが雨水で容易に洗い流されるようにしてもよい。
【００２３】
４は、前記カバー材３を前面板１２に取付けるためのクリップ部材であり、まず防音パネル１の前面板１２にカバー材３を重ね合わせ、次いでこのクリップ部材４で、カバー材３と前面板１２の両開孔縁部３２，１３を弾性挟持することにより、カバー材３を前面板１２に止着することができる。
【００２４】
クリップ部材４は、金属や合成樹脂、繊維等で補強した強化合成樹脂等の適宜材質から形成されてばね弾性を有し、カバー材３と前面板１２の両開孔縁部３２，１３を弾性挟持することができるようなものであれば、その形状は特に限定されるものではなく、例えば図２に示される如く、ばね線材を折曲して得られるものであって、ばね弾性を有するように、（イ）の如く湾曲された可撓部４１、（ロ）の如くループ状に巻回された可撓部４１の両端が、それぞれく字状に内側に折曲されてカバー材３と前面板１２の両開孔縁部３２，１３を弾性挟持する挟持部４２が形成され、且つ両挟持部４２，４２の間隔が狭まる方向に付勢されているものであってもよい。
【００２５】
このクリップ部材４は、図３に示される如く、両挟持部４２，４２の間隔をばね弾性に抗して拡げつつ、一方の挟持部４２の先端部４３を、カバー材３の一の開孔３１よりその開孔３１に連通した前面板１２の開孔１１に、他方の挟持部４２の先端部４３をカバー材３の前記開孔３１に隣接したカバー材３の他の開孔３１よりその開孔３１に連通した前面板１２の他の開孔１１に、それぞれ挿入し、次いで両挟持部４２，４２の間隔を狭まる方向に付勢させることにより、各挟持部４２，４２にカバー材３と前面板１２の両開孔縁部３２，１３を弾性挟持させることができる。なおこの形態においては、各挟持部４２，４２の先端部４３は外方に折り返えされてＵ字状となされ、カバー材３の開孔３１より前面板１２の開孔１１に挿入する際、挿入を容易にすると共に吸音パネル１内の吸音材を傷つけないようになされている。
【００２６】
又クリップ部材は、図４に示される如く、ばね板材を折曲して得られるものであって、基板４４の一端部がばね弾性を有するようにＣ字状に湾曲されて挟持部４２が形成され、前記挟持部４２が縮径方向に付勢されているものであってもよい。
【００２７】
このクリップ部材は、図５に示される如く、庇状に形成されたカバー材３と前面板１２の両開孔縁部３２，１３を、弾性挟持させる場合に、好適である。すなわち、前面板１２の開孔１１の上下縁部１３は、雨水が開孔１１より防音パネル１内に入らないように、一般には庇状に形成される。この前面板１２に取付けるカバー材３も、前記前面板１２と同様に、開孔３１の上下縁部３２を庇状に形成し、前面板１２の庇状の開孔縁部１３にカバー材３の庇状の開孔縁部３２を重ね合わすことにより、前面板１２にカバー材３を密着させることができる。
【００２８】
この場合において、庇状に形成された両開孔縁部３２，１３を利用してカバー材３を前面板１２に止着させることが、図４に示されるクリップ部材４で可能である。すなわちクリップ部材４の挟持部４２をばね弾性に抗して拡径させつつ、庇状に形成された両開孔縁部３２，１３に外嵌することにより、両開孔縁部３２，１３を弾性挟持させることができる。なお本形態では、基板４４のもう一方の端部にＬ字状の折曲部４５が形成され、この折曲部４５を他方の開孔縁部３２，１３に係止させることにより、クリップ部材４の抜脱が防止されるようになされている。
【００２９】
上記形態の防音パネル１は前面板１２に多数の開孔１１を有するものであり、この前面板１２にカバー材３を取付けることにより、前面板１２側をリフレッシュしているが、背面板にも多数の開孔を有している場合には、背面板にもカバー材２を取付け、背面板側もリフレッシュすることができる。
【００３０】
またカバー材２を例えば前面板１２の一部にのみ取付けて、その一部のみをリフレッシュしてもよいし、前面板１２の全体を覆うような一個のカバー材２を取付けてもよいし、同一のカバー材２を複数取付けて前面板１２の全体を覆うようにしてもよく、異なる種類のカバー材２を組み合わせて一部又は全体を覆うように取付けてもよい。
【００３１】
【発明の効果】
本発明によるリフレッシュ方法は、既存の防音パネルの前面板にカバー材を取付け、このカバー材の外側の面を防音パネルの新たな外面とするので、従来の新しいものに取り替える場合に較べて、非常に容易であり、又カバー材のコストしか発生しないので安価であり、廃棄物処理の問題もなく、且つ短期間に完了するので、長期の交通規制の必要がなく、又塗装する場合に較べて、一定の品質でリフレッシュすることができ、さらに洗浄する場合に発生する汚水処理の問題がない。
【００３２】
又前記カバー材は、多数の開孔を有するので、騒音はカバー材により遮られることがなく、カバー材の開孔を通って、前面板の開孔に至るので、防音パネルの防音性能を低下させることはない。
【００３３】
さらにカバー材は、カバー材と前面板の両開孔縁部を弾性挟持するクリップ部材によって前面板に止着され、カバー材と前面板とに設けられた両開孔を利用してカバー材を止着することから、カバー材を取付けるための加工を前面板に施す必要がないので、取付けが極めて容易であり、又確実に取付けることができる。すなわちカバー材をリベット止めや接着剤、粘着材によって取付けることも考えられるが、リベット止めする場合は、前面板にわざわざ取付孔を開けてリベット止めすることから、取付けに手間がかかり、又カバー材を接着剤や粘着材で貼着する場合は、振動や風圧によって離脱するおそれがあるが、本発明においてはクリップ部材によってカバー材と前面板の両開孔縁部を弾性挟持するので、そのような問題はない。
【図面の簡単な説明】
【図１】本発明による実施の一形態であって、カバー材によって防音パネルの前面をリフレッシュする状態を示す説明図である。
【図２】（イ）、（ロ）は本発明に用いられるクリップ部材の実施の一形態を示す正面図である。
【図３】図２の（イ）のクリップ部材によってカバー材を防音パネルに取付ける状態を示す断面図である。
【図４】本発明に用いられるクリップ部材の実施の他の形態を示す斜視図である。
【図５】図４のクリップ部材によってカバー材を防音パネルに取付ける状態を示す断面図である。
【符号の説明】
１    防音パネル
１１  開孔
１２  前面板
１３  開孔縁部
２    支柱
３    カバー材
３１  開孔
３２  開孔縁部
４    クリップ部材
４１  可撓部
４２  挟持部
４３  先端部
４４  基板
４５  折曲部
【図１】
0003792077.tif 000002
【図２】
0003792077.tif 000003
【図３】
0003792077.tif 000004
【図４】
0003792077.tif 000005
【図５】
0003792077.tif 000006